(57)【要約】【課題】発光装置において、高い演色性を得ることができ、しかも空間の意匠性の低下を抑制する。【解決手段】発光装置１は、ＬＥＤ光源２と、ＬＥＤ光源２の前面に設けられた光透過部材３と、を備える。光透過部材３は、基材５と、基材５に設けられてＬＥＤ光源２から出射された光の波長を制御する波長制御部６と、を有し、波長制御部６は、波長４５０〜６５０ｎｍの範囲に最大吸光波長を有する色素６２を含み、波長制御部６及びＬＥＤ光源２の正面視において、波長制御部６と発光部４の中心軸が同軸であり、且つ波長制御部６の大きさが、発光部４より大きく、基材５より小さい。この構成によれば、色素６２を含有する波長制御部６により、高い演色性を得ることができ、また、波長制御部６は、発光部４と対向する位置にピンポイントで設けられているので、外観色が視認され難く、発光装置が設置された空間の意匠性の低下を抑制することができる。【選択図】図１
2016171201.tif 000002
【特許請求の範囲】
【請求項１】
ＬＥＤ光源と、前記ＬＥＤ光源の前面に設けられた光透過部材と、を備えた照明装置であって、
前記ＬＥＤ光源は、正面視において所定の発光面積を持つ発光部を有し、
前記光透過部材は、透光性を有する基材と、前記基材に設けられて前記ＬＥＤ光源から出射された光の波長を制御する波長制御部と、を有し、
前記波長制御部は、波長４５０〜６５０ｎｍの範囲に最大吸光波長を有する色素を含み、
前記波長制御部及び前記ＬＥＤ光源の正面視において、前記波長制御部及び前記発光部の中心軸が同軸であり、且つ前記波長制御部の大きさが、前記発光部より大きく、前記基材より小さいことを特徴とする発光装置。
【請求項２】
前記ＬＥＤ光源を複数備え、
前記基材は、前記複数のＬＥＤ光源の前面を覆うように設けられ、
複数の前記波長制御部が、前記ＬＥＤ光源毎に前記基材に設けられていることを特徴とする請求項１に記載の発光装置。
【請求項３】
前記波長制御部材は、前記基材の前記ＬＥＤ光源からの光が入射する面に設けられていることを特徴とする請求項１又は請求項２に記載の発光装置。
【請求項４】
前記光透過部材は、前記波長制御部に含有される色素と実質的に同じ色素を含む補助波長制御部を有し、
前記補助波長制御部は、前記波長制御部よりも厚みが薄くなるように又は前記色素の含有濃度が低くなるように構成され、前記基材における前記波長変換部が設けられた領域よりも外側の領域に設けられていることを特徴とする請求項１乃至請求項３のいずれか一項に記載の発光装置。
【請求項５】
前記色素は、テトラアザポルフィリン化合物であることを特徴とする請求項１乃至請求項４のいずれか一項に記載の発光装置。
【請求項６】
請求項１乃至請求項５のいずれか一項に記載の発光装置を用いた照明装置。
【発明の詳細な説明】
【技術分野】
【０００１】
本発明は、光源として発光ダイオード（ＬＥＤ）を用いた照明装置に関する。
【背景技術】
【０００２】
発光ダイオード（以下、ＬＥＤ）は、低電力で高輝度の発光が可能であり、しかも長寿命であることから、白熱灯や蛍光灯等に代替する照明装置用の光源として利用されている。また、青色ＬＥＤが出射する青色光を蛍光体に当てて黄色光を出力し、青色光と黄色光とを混色させて白色光を作り出す、いわゆる白色ＬＥＤがある。白色ＬＥＤは、発光強度及び発光効率において優れ、これを用いた照明装置が、シーリングライト及びベースライトといった光を拡散させる照明器具や、ダウンライト及びスポットライトといった光を集光させる照明器具等に利用されている。
【０００３】
しかしながら、上述したような一般的な白色ＬＥＤは、出射光のスペクトル特性において赤色波長域のピーク強度が際立っておらず、演色性が低いので、食品や衣類等を照明する照明器具には適していなかった。そこで、ＬＥＤ光源の前面に、５７５〜６００ｎｍの波長域に吸収ピークを有する可視光選択吸収材料（以下、色素）を含有するフィルタ層を設けた照明装置が知られている（例えば、特許文献１参照）。この特許文献１に記載の発明によれば、フィルタ層が、照明光の５７５〜６００ｎｍの波長域の強度を低下させて、その波長域に隣接する６００〜６２０ｎｍの波長域にあるピーク波長を際立たせる。その結果、赤色の見え方が良好で、照明光の演色性を高めることができる。
【先行技術文献】
【特許文献】
【０００４】
【特許文献１】特開２０１０−２６７５７１号公報
【発明の概要】
【発明が解決しようとする課題】
【０００５】
しかしながら、上記照明装置では、フィルタ層の全面が、色素の色に着色されているので、例えば、照明装置が点灯していないとき、フィルタ層の外観色が視認され得る。このような照明装置が、例えば、白色系の壁紙が貼られた天井等に設置されると、着色されたフィルタ層が目立ち、照明装置が設置された空間の意匠性を低下させることがある。
【０００６】
本発明は、上記課題を解決するものであり、高い演色性を得ることができ、しかも空間の意匠性の低下を抑制することができる発光装置及びそれを用いた照明装置を提供することを目的とする。
【課題を解決するための手段】
【０００７】
上記課題を解決するため、本発明は、ＬＥＤ光源と、前記ＬＥＤ光源の前面に設けられた光透過部材と、を備えた照明装置であって、前記ＬＥＤ光源は、正面視において所定の発光面積を持つ発光部を有し、前記光透過部材は、透光性を有する基材と、前記基材に設けられて前記ＬＥＤ光源から出射された光の波長を制御する波長制御部と、を有し、前記波長制御部は、波長４５０〜６５０ｎｍの範囲に最大吸光波長を有する色素を含み、前記波長制御部及び前記ＬＥＤ光源の正面視において、前記波長制御部及び前記発光部の中心軸が同軸であり、且つ前記波長制御部の大きさが、前記発光部より大きく、前記基材より小さいことを特徴とする。
【発明の効果】
【０００８】
本発明によれば、ＬＥＤ光源から出射された光が、色素を含有する波長制御部を透過することにより、高い演色性を有する照明光を得ることができる。また、波長制御部は、基材の全面ではなく、発光部と対向する位置にピンポイントで設けられているので、外観色が視認され難く、発光装置が設置された空間の意匠性の低下を抑制することができる。
【図面の簡単な説明】
【０００９】
【図１】（ａ）は本発明の第１の実施形態に係る発光装置の正面図、（ｂ）は側面図。
【図２】同発光装置に用いられるＬＥＤ光源の側断面図。
【図３】同ＬＥＤ光源の発光スペクトルを示す図。
【図４】上記発光装置の波長制御部に用いられるテトラアザポルフィリン化合物の構造式を示す図。
【図５】波長制御部に用いられるテトラアザポルフィリン化合物の光吸収スペクトルを示す図。
【図６】上記発光装置の出射光のスペクトルを示す図。
【図７】（ａ）は本発明の第２の実施形態に係る発光装置の正面図、（ｂ）は側面図。
【図８】同発光装置に用いられるＬＥＤ光源の側断面図。
【図９】（ａ）は上記実施形態の変形例に係る発光装置の正面図、（ｂ）は側面図。
【図１０】（ａ）は上記実施形態及び変形例に係る発光装置を更に変形した発光装置を用いた照明装置の側断面図、（ｂ）は（ａ）の一部拡大図。
【図１１】本発明の第３の実施形態に係る発光装置の側断面図。
【発明を実施するための形態】
【００１０】
本発明の第１の実施形態に係る発光装置について、図１乃至図６を参照して説明する。図１（ａ）（ｂ）に示すように、本実施形態の発光装置１は、ＬＥＤ光源２と、ＬＥＤ光源２の前面に設けられた光透過部材３と、を備える。なお、ＬＥＤ光源２の前面とは、ＬＥＤ光源２から光が出射される方向に対向する面を言う。ＬＥＤ光源２は、例えば、チップオンボード（ＣＯＢ）型ＬＥＤ、サーフェスマウントデバイス（ＳＭＤ）型ＬＥＤ又は砲弾型ＬＥＤ等の汎用のＬＥＤモジュールであり、正面視において所定の発光面積を持つる発光部４を有する。
【００１１】
光透過部材３は、透光性を有する基材５と、基材５に設けられてＬＥＤ光源２から出射された光の波長を制御する波長制御部６と、を有する。基材５は、ＬＥＤ光源２のカバー又はレンズ等に相当する構造材料であり、波長制御部６に比べて十分な厚みがある。本実施形態では、波長制御部６は、基材５のＬＥＤ光源２からの光が入射する面に設けられている。また、本実施形態では、１つのＬＥＤ光源２に対して１つの波長制御部６が設けられている。
【００１２】
ＬＥＤ光源２は、一方の面に発光部４を有するＬＥＤモジュールが用いられ、このＬＥＤモジュールが基板７に実装されている。ＬＥＤ光源２には、例えば、発光ピーク波長が４６０ｎｍの青色光を放射するＧａＮ系青色ＬＥＤチップにＹＡＧ系黄色蛍光体が被覆され、青色光と黄色光との混光により白色光を出射するＬＥＤモジュールが用いられる。本実施形態のように、ＬＥＤ光源２が単体である場合には、汎用のＣＯＢ型のＬＥＤモジュールが好適に用いられる。
【００１３】
具体的には、図２に示すように、ＬＥＤ光源２は、アルミニウム又はセラミック等から成る断面矩形状の基板２０と、基板２０上に実装されたＬＥＤチップ２１と、ＬＥＤチップ２１を取り囲むバンク２２と、バンク２２に充填される封止部材２３と、を備える。なお、図例では、ＬＥＤチップ２１を２個用いた構成を示すが、これに限定されない。封止部材２３には、例えば、シリコーン樹脂等が用いられ、ＬＥＤチップ２１からの出射光の波長を変換する蛍光体２４が含有される。基板２０の上面にはカソード電極２５及びアノード電極２６が夫々設けられ、これらカソード電極２５及びアノード電極２６は、ワイヤ２７によってＬＥＤチップ２１の各電極端子に夫々接続される。
【００１４】
バンク２２の内周は、上面視で円形状であり、この円周内に蛍光体２４を含有する封止部材２３が充填されることにより、バンク２２の開口から露出した封止部材２３の表面が、光を出射する発光部４となる。なお、上記図１（ａ）（ｂ）では、ＬＥＤ光源２と発光部４とを同一の構成として図示している。
【００１５】
本実施形態のＬＥＤ光源２では、例えば、ＬＥＤチップ２１が、波長２６０ｎｍ付近に発光ピーク波長を有する光を出射し、蛍光体２４は、図３に示すように、波長６１０ｎｍ付近に発光ピーク波長を有する光を発光する。ＬＥＤ光源２は、これらの光を混色することで得た白色光を出射することができる。
【００１６】
基材５（再び図１（ｂ）参照）は、透光性を有する任意の樹脂材料又はガラス等により構成される。例えば、光学的に透明な材料としては、ポリメタクリル酸メチル、ポリカーボネート、環状ポリオレフィン、環状ポリオレフィンコポリマ、ポリメチルペンテン等の熱可塑性樹脂が挙げられる。また、乳白色半透明な材料としては、ポリエチレン、ポリプロピレン等の熱可塑性樹脂が挙げられる。更に、メタクリル酸樹脂やシリコーン樹脂に架橋成分を加えた後に、熱又は電子線、紫外線等のエネルギーを与えて硬化させる熱硬化性樹脂等も挙げられる。また、基材５には、用途に応じて、紫外線吸収剤、光安定剤、酸化防止剤、加水分解防止剤等が母材となる樹脂材料に対して適宜に添加されてもよい。なお、本実施形態では、基材５として、平坦な板状部材を図示しているが、後述する図９及び図１０に示すように、出射光を拡散又は集光する形状に形成加工された配光制御部材であってもよい。
【００１７】
波長制御部６は、透光性を有する樹脂材料から成る母材６１と、この母材６１に添加される色素６２と、を有する。母材６１には、上記基材５に用いられる光学的に透明な材料と同様の熱可塑性樹脂が好適に用いられる。
【００１８】
色素６２は、特定波長の光を選択的に吸収する性質を有する化合物である。例えば、テトラアザポルフィリン、テトラフェニルポルフィリン、オクタエチルポルフィリン、フタロシアニン、シアニン、ピロメテン、スクアリリウム、キサンテン、ジオキサン、オキソノール等の有機化合物を主体とする色素が挙げられる。特に、図４に示すような、テトラアザポルフィリン化合物は、光源からの光照射に対しても堅牢性が高いので、好適に用いられる。なお、図中のＭは中心金属となる元素を、Ｒ１〜Ｒ８は置換基を示す。
【００１９】
本実施形態においては、色素６２として、波長４５０〜６５０ｎｍの範囲に最大吸光波長を有する色素が用いられる。特に、波長５７０〜５９０ｎｍの範囲に最大吸光波長を有する色素であるテトラアザポルフィリンが好適に用いられる。図５は、基材５及び母材６１にアクリル樹脂（ＶＨ００１（三菱レイヨン（株）製））を用い、中心金属に銅を有するテトラアザポルフィリン化合物を３．０ｐｐｍの濃度で添加して作製された波長制御部６の吸光特性を、自記分光光度計（Ｕ４１００，(株)日立ハイテクノロジー製）にて測定した結果を示す。上記のようにして作成された光透過部材３では、基材５及び母材６１自体に約８％程度の光吸収性があり、波長４５０〜６５０ｎｍの範囲のピーク波長の透過率を約６０％程度吸収し、約３２％の光を透過する。
【００２０】
ＬＥＤ光源２は、図３に示した発光特性を有するＬＥＤ光源２からの出射光が、図５に示した吸収特性を有する色素を含有する波長制御部６を透過し、波長制御された白色光を出射する。図６は、発光装置１が出射する白色光の分光特性を示す。なお、同図の分光スペクトルは、瞬間マルチ測光システム（ＭＣＰＤ−７７００（大塚電子(株)製））により計測された。ＬＥＤ光源２が出射する白色光は、波長５７０〜５９０ｎｍの範囲の波長が吸収されているので、波長６１０ｎｍ付近のピーク波長を際立たせることができる。その結果、高い演色性を得ることができ、特に赤色の物体を鮮やかに見せることができる。
【００２１】
また、本実施形態においては、図１（ａ）（ｂ）に示したように、波長制御部６及びＬＥＤ光源２の正面視において、波長制御部６と発光部４（ＬＥＤ光源２）の中心軸Ｌが同軸であり、且つ波長制御部６の大きさが、ＬＥＤ光源２の発光部より大きく、基材５より小さい。つまり、波長制御部６は、基材５の全面ではなく、ＬＥＤ光源２の発光部４と対向する位置にピンポイントで設けられている。そのため、従来の照明装置のように、フィルタ層の全面が色素の色で着色されている場合に比べて、発光装置１が点灯していないとき、波長制御部６の外観色が視認され難く、発光装置が設置された空間の意匠性の低下を抑制することができる。
【００２２】
ＬＥＤ光源２の発光部４に対する波長制御部６の大きさは、ＬＥＤ光源２と光透過部材３との距離によって異なるが、波長制御部６は、少なくともＬＥＤ光源２の１／２ビーム角を充足する範囲に設けられていることが好ましい。すなわち、図１（ａ）に示すように、発光部４の外縁と波長制御部６の外縁とを繋ぐ線分ｓと、発光部４の中心軸Ｌと平行な線Ｌ１の成す角α１が、ＬＥＤ光源２で設計された１／２ビーム角よりも大きければよい。こうすれば、ＬＥＤ光源２からの出射光の殆どの光束が、波長制御部６を透過して色素６２により波長制御されるので、照明光の演色性を高くすることができる。一方、波長制御部６が大き過ぎると、波長制御部６の外観色が視認され易くなってしまう。そのため、波長制御部６は、上記角α１がＬＥＤ光源２の最大の配光角度α２よりも小さくなる範囲に設けられる。
【００２３】
また、ＬＥＤ光源２と光透過部材３との距離が近いほど、波長制御部６の大きさを小さくすることができ、波長制御部６の外観色がより視認され難く、発光装置１が設置された空間の意匠性の低下を抑制することができる。一方、ＬＥＤ光源２と光透過部材３とが近接し過ぎると、ＬＥＤ光源２からの熱により光透過部材３の波長制御部６に含有される色素６２がダメージを受けて波長選択的な吸収性能が低下する虞がある。従って、ＬＥＤ光源２と光透過部材３との距離は、ＬＥＤ光源２（ＬＥＤ光源２）の出力や放熱性能によるが、例えば、汎用的な全光束８００ルーメンのＣＯＢ型ＬＥＤモジュールであれば、５〜１５ｍｍとされる。こうすれば、波長制御部６を小さくして外観色がより視認され難くすることができ、且つ色素６２のダメージを抑制して、長期間にわたって高い演色性の照明光を得ることができる。
【００２４】
また、本実施形態の光透過部材３では、基材５は、波長制御部６よりも厚みがあり、また、波長制御部６は、基材５のＬＥＤ光源２からの光が入射する面に設けられている。そのため、発光装置１が外部から視られたとき、基材５のうち光が出射する面とは反対側の面に波長制御部６があるので、波長制御部６が視認され難く、発光装置１が設置された空間の意匠性の低下を、より抑制することができる。また、光透過部材３を乳白色の樹脂材料で構成する、又は基材５のうち光が出射する面に拡散処理を施すことにより、波長制御部６をより視認され難くすることができる。
【００２５】
本発明の第２の実施形態に係る発光装置について、図７を参照して説明する。図７（ａ）（ｂ）に示すように、本実施形態に係る発光装置１は、基板７上にＬＥＤ光源２を複数備え、光透過部材３の基材５は、複数のＬＥＤ光源２ａの前面を覆うように設けられている。また、複数の波長制御部６が、ＬＥＤ光源２ａ毎に基材５に設けられている。図例では、５個のＬＥＤ光源２ａが設けられた構成を示すが、ＬＥＤ光源２ａの個数はこれに限られない。
【００２６】
本実施形態では、ＬＥＤ光源２ａは、汎用のＳＭＤ型のＬＥＤモジュールが好適に用いられる。具体的には、図８に示すように、ＬＥＤ光源２は、断面矩形状の基材２０ａと、基材２０ａ上に実装された発光部（ＬＥＤチップ）２１と、ＬＥＤチップ２１を取り囲む凹部を有する枠体２２ａと、枠体２２ａに充填される封止部材２３と、を備える。封止部材２３及び蛍光体２４は、上記実施形態と同様である。基材２０ａの一側面にはカソード電極２５が、他側面にはアノード電極２６がリードフレーム状に夫々設けられ、基材２０ａの下面両端部に形成された外部接続電極２７，２８に夫々接続される。また、カソード電極２５及びアノード電極２６は、ワイヤ２９によってＬＥＤチップ２１の各電極端子（不図示）に夫々接続される。
【００２７】
枠体２２ａの凹部は、上面視で円形状であり、ＬＥＤチップ２１が実装される底面と、光を導出する開口部と、底面から開口部に向けて円錐状に広がるように形成された側面と、を有する。側面は、ＬＥＤチップ２１から出射する光を高効率で反射するように光反射処理が施されている。この凹部に蛍光体２４を含有する封止部材２３が充填されることにより、凹部の開口部が、ＬＥＤ光源２の発光部４となる。なお、上記図７（ａ）（ｂ）においても、ＬＥＤ光源２の発光部４を構成として図示している。
【００２８】
図７（ａ）（ｂ）に示したように、本実施形態においても、各ＬＥＤ光源２の正面視において、波長制御部６とＬＥＤ光源２の発光部４の中心軸Ｌが同軸であり、且つ波長制御部６の大きさが、ＬＥＤ光源２の発光部４より大きく、基材５より小さい。つまり、波長制御部６は、基材５の全面ではなく、ＬＥＤ光源２の発光部と対向する位置にピンポイントで設けられている。そのため、従来の照明装置のように、フィルタ層の全面が色素の色で着色されている場合に比べて、発光装置１が点灯していないとき、波長制御部６の外観色が視認され難く、発光装置１が設置された空間の意匠性を低下を抑制することができる。
【００２９】
また、本実施形態によれば、ＬＥＤ光源２の個数を設定することにより、発光装置１の用途に応じて容易に高出力化に対応することができる。また、本実施形態のＬＥＤ光源２に用いられるＳＭＤ型のＬＥＤモジュールは、上記実施形態で用いられたＣＯＢ型ＬＥＤモジュールに比べて、発光部４の大きさが小さいので、波長制御部６も小さくすることができる。従って、上記実施形態よりも更に波長制御部６の外観色が視認され難く、発光装置１が設置された空間の意匠性を低下を、より効果的に抑制することができる。
【００３０】
次に、上記実施形態の変形例に係る発光装置について、図９を参照して説明する。この変形例に係る発光装置１は、光透過部材３は、波長制御部６に含有される色素６２と実質的に同じ色素６２を含む補助波長制御部６ａを有する。この補助波長制御部６ａは、上述した波長制御部６よりも厚みが薄くなるように又は色素６２の含有濃度が低くなるように構成され、基材５における波長制御部６が設けられた領域の周囲の領域に設けられている。本変形例では、複数のＬＥＤ光源２に対応するように、基材５に複数の波長制御部６が設けられており、各波長制御部６の間を埋めるように、補助波長制御部６ａが設けられている。
【００３１】
この補助波長制御部６ａを設けたことにより、ＬＥＤ光源２から広配光で出射されて波長制御部６の周縁より外側の領域に向かう光の波長も制御することができるので、照明光の色ムラを抑制することができる。また、補助波長制御部６ａは、波長制御部６よりも厚みが薄い又は色素６２の含有濃度が低くなるように構成されているので、色素６２による色味が波長制御部６よりも弱い。従って、補助波長制御部６ａの外観色は視認され難く、発光装置１が設置された空間の意匠性を低下を抑制することができる。
【００３２】
また、色素６２の含有量が多く色味の強い波長制御部６を、光束量が多くなる、ＬＥＤ光源２の中心軸Ｌ周囲の狭い領域にピンポイントで設け、中心軸Ｌから離れており光束量が少なくなる波長制御部６の周縁領域に、補助波長制御部６ａが設けることが望ましい。この構成によれば、波長制御部６の大きさを小さくすることができるので、波長制御部６が視認され難く、発光装置１が設置された空間の意匠性の低下を抑制することができる。
【００３３】
次に、上記実施形態及び変形例を更に変形した変形例に係る発光装置、及びそれを用いた照明装置について、図１０を参照して説明する。図１０（ａ）に示すように、本変形例に係る発光装置１は、照明装置１０の器具本体１１の中央部を中心とする環状に配された複数のＬＥＤ光源２と、ＬＥＤ光源２の光出射方向に設けられてＬＥＤ光源２から出射した光の配光を制御する光透過部材３ａと、備える。また、照明装置１０は、光透過部材３ａからの光出射方向に設けられてこの光透過部材３ａから出射する光を拡散させて放射する拡散部材（カバー）１２を備える。本実施形態では、複数のＬＥＤ光源２を環状に配して成るＬＥＤ群が、同心円状に２列に配されている。
【００３４】
器具本体１１は、円盤状の構造部材であり、天井等の施工面の反対側の面にＬＥＤ光源２等が配置される。器具本体１１の中央部には、施工面に設けられた給電コネクタ等に固定される給電部１３が設けられる。また、給電部１３の外周側には、ＬＥＤ光源２を点灯駆動するための点灯回路（不図示）と、ＬＥＤ光源２が実装される基板１４と、が設けられる。器具本体１１は、所定の剛性を有するアルミニウム板又は鋼板等の板材を、上記形状にプレス及び切削加工することにより形成され、ＬＥＤ光源２等が配置される面には可視光の反射率が高い白色塗料が塗布又は反射性金属材料が蒸着されていてもよい。
【００３５】
給電部１３は、汎用のアダプタガイドであり、給電コネクタ等を介して商用交流電源に接続される。点灯回路は、給電部１３から供給された交流電流をＬＥＤ光源２に適合する所定電圧の直流電流に変換及び整流するための、トランス、コンデンサ及び制御用ＩＣ等を備える。基板１４は、例えば、ガラスエポキシ樹脂等の絶縁材料から成り、ＬＥＤ光源２が実装される面に所定の配線パターンが形成されている。点灯回路は、ユーザの操作に基づき、中心側のＬＥＤ群及び外周側のＬＥＤ群を夫々独立して点灯させることができるように構成されている。なお、各ＬＥＤ群内の各ＬＥＤ光源２が個別に又は複数にグルーピングされて更に細かい部分点灯又は間引き点灯等が可能なように構成されていてもよい。
【００３６】
ＬＥＤ光源２には、上記変形例と同様に、ＳＭＤ型のＬＥＤモジュールが好適に用いられる。光透過部材８は、環状に配された複数のＬＥＤ光源２を一括して覆う樋状のレンズ部材であり、アクリル樹脂等の透光性樹脂により形成される。本変形例において、光透過部材８は、器具中央側のＬＥＤ群を覆う中央レンズ部８ａと、器具外周側のＬＥＤ群を覆う外側レンズ部８ｂと、を備える。また、これら中央レンズ部８ａ及び外側レンズ部８ｂは、光透過部材８を器具本体１１に固定するための基部８０によって互いに接続され、これらは一体的に形成されている。カバー１２は、器具本体１１の前面を覆うドーム形状とされ、例えば、アクリル樹脂等の透光性材料に光拡散性粒子又は顔料等を添加した樹脂材料から形成される。カバー１２は、上記の光拡散性粒子又は顔料等の添加に換えて、透明なガラス板又は樹脂板の表面又は裏面に、サンドブラスト処理を施して粗面としたもの、又はシボ加工を施したもの等であってもよい。
【００３７】
図１０（ｂ）に示すように、光透過部材８は、上述した基部８０に加え、ＬＥＤ光源２の発光部４を覆いＬＥＤ光源２から出射した光が入射する凹状の入射面８１と、入射面８１から入射した光が伝搬する媒質部８２と、媒質部８２を伝搬した光が出射する出射面８３と、を有する。本変形例では、波長制御部６は、入射面８１に設けられている。
【００３８】
また、波長制御部６は、凹状の入射面８１に色素６２を含有する透光性樹脂の母材６１を塗布することにより形成される（図１（ｂ）も参照）。ここで、母材６１に熱可塑性樹脂を用いれば、凹状の入射面８１に材料を塗布し、これが冷却されて硬化することにより、簡易に波長制御部６を形成することができる。
【００３９】
本発明の第３の実施形態に係る発光装置について、図１１を参照して説明する。本実施形態に係る発光装置１は、ＬＥＤ光源２と、ＬＥＤ光源２が搭載された基板７と、ＬＥＤ光源２から出射される光を屈折させて所定方向へ放射させる光透過部材９と、を備える。本実施形態では、ＬＥＤ光源２として砲弾型ＬＥＤが用いられる。
【００４０】
光透過部材９は、略平行光を生成するレンズであり、光軸Ｌａを軸とした大底面９１と小底面９２とを有する回転体の外郭９３を成して、小底面９２に形成された凹部９４がＬＥＤ光源２から出射される光の入射面となり、この光を屈折させて所定方向へ放射させる。凹部９４は、ＬＥＤ光源２と正対する面がＬＥＤ光源２側に凸状となるよう湾曲した凸面９５と、凸面９５と小底面９２とを接続する側面９６と、を有する。光透過部材９の材料には、上記実施形態と同様の透明な材料が用いられる。このように構成された光透過部材９では、ＬＥＤ光源２から凸面９５に入射した光は、大底面９１から直接的に外部に出射される。また、側面９６に入射した光は、外郭９３で全反射して、大底面９１から外部に出射される。
【００４１】
また、本実施形態では、波長制御部６が、光透過部材９の出射面となる大底面９１に設けられている。波長制御部６の大きさは、ＬＥＤ光源２の正面視におけるモジュール面積よりも大きくなるよう設定される。この構成においても、波長制御部６は、大底面９１のうち、ＬＥＤ光源２と対応する位置にピンポイントで設けられているので、波長制御部６が視認され難く、発光装置１が設置された空間の意匠性の低下を抑制することができる。
【００４２】
なお、本発明は、上述した実施形態に限らず、種々の変形が可能である。例えば、上記第３の実施形態では、光透過部材９の出射面となる大底面９１に波長制御部６を設けたが、波長制御部６は、入射面となる凸面９５に設けられてもよい。この場合、波長制御部６の母材６１に、光透過部材９と同じ屈折率の材料を用いることで、波長制御部６と光透過部材９との界面での屈折や全反射が生じ難くすることが望ましい。また、上記第３の実施形態の波長制御部６の外側に、第２の実施形態の変形例で示した補助波長制御部６ａを、設けてもよい。また、ＬＥＤ光源２の発光部４の正面視形状は、例示した円形に限らず、正方形若しくは長方形又は任意の多角形であってもよく、この場合、波長制御部６は、発光部４の大きさを充足し、且つ過度に大きくなり過ぎない任意の形状が採用され得る。
【符号の説明】
【００４３】
１    発光装置
１０    照明装置
２    ＬＥＤ光源
３    光透過部材
４    発光部
５    基材
６    波長制御部
６ａ    補助波長制御部
６２    色素
【図１】
2016171201.tif 000003
【図２】
2016171201.tif 000004
【図４】
2016171201.tif 000005
【図７】
2016171201.tif 000006
【図８】
2016171201.tif 000007
【図９】
2016171201.tif 000008
【図１０】
2016171201.tif 000009
【図１１】
2016171201.tif 000010
【図３】
2016171201.tif 000011
【図５】
2016171201.tif 000012
【図６】
2016171201.tif 000013